(57)【要約】【課題】通信サービスの品質劣化をより確実に防止することが可能な移動端末、通信システム、及び通信方法を提供する。【解決手段】移動機１は、第一の基地局の配下のセルに在圏中に音声サービスが提供中である通信状況であるか否かを判定するサービス種別判定部１４と、上述の通信状況にあると判定された場合に、第二の基地局にハンドオーバするための処理を行う端末送信部１６と、を備える。これにより、図５におけるハンドオーバ処理Ｈが行われるタイミングＴ１より前のタイミングＴ３に、音声サービスが提供中の上述の通信状況であると判定された場合に、第二の基地局にハンドオーバするための処理が行われる。この結果、音声サービス提供中において影響が大きい通信の瞬断が起こりうる無線品質になる前に、ハンドオーバすることが可能になり、通信サービスの品質劣化をより確実に防止することが可能になる。【選択図】図３
2013236336.tif 000002
【特許請求の範囲】
【請求項１】
複数の基地局との無線通信が可能な移動端末であって、
第一の基地局の配下のセルに在圏中に音声サービスが提供中である通信状況であるか否かを判定するサービス判定手段と、
前記サービス判定手段により前記通信状況にあると判定された場合に、第二の基地局にハンドオーバするための処理を行う端末制御手段と、
を備えることを特徴とする移動端末。
【請求項２】
前記第一の基地局との無線通信の通信品質を示す第一品質情報を取得する取得手段と、
前記取得手段により取得された前記第一品質情報が示す通信品質が所定品質を満たすか否かを判定する品質判定手段と、
を更に備え、前記サービス判定手段は、前記品質判定手段により前記所定品質は満たされると判定された場合に、前記通信状況であるか否かを判定する、請求項１に記載の移動端末。
【請求項３】
前記端末制御手段により前記ハンドオーバするための処理が行われた場合に、前記第二の基地局との無線通信の通信品質を示す第二品質情報を取得し、当該第二品質情報が示す通信品質が所定条件を満たすか否かを判定する条件判定手段と、
前記条件判定手段により前記所定条件は満たされると判定された場合に、前記条件判定手段により取得された前記第二品質情報を前記第一の基地局に送信する品質送信手段と、
を更に備える、請求項２に記載の移動端末。
【請求項４】
第一及び第二の基地局と、当該第一及び第二の基地局のそれぞれとの無線通信が可能な移動端末とを備える通信システムであって、
前記移動端末は、
提供中のサービスを示すサービス情報を前記第一の基地局に送信する情報送信手段を有し、
前記第一の基地局は、
前記情報送信手段により送信された前記サービス情報により音声サービスが提供中である通信状況であるか否かを判定する状況判定手段と、
前記状況判定手段により前記通信状況にあると判定された場合に、前記移動端末を前記第二の基地局にハンドオーバさせるための処理を行う基地局制御手段と、
を有することを特徴とする通信システム。
【請求項５】
複数の基地局との無線通信が可能な移動端末が行う通信方法であって、
第一の基地局の配下のセルに在圏中に音声サービスが提供中である通信状況であるか否かを前記移動端末が判定するサービス判定ステップと、
前記サービス判定ステップにより前記通信状況にあると判定された場合に、第二の基地局にハンドオーバするための処理を前記移動端末が行う端末制御ステップと、
を有することを特徴とする通信方法。
【請求項６】
第一及び第二の基地局と、当該第一及び第二の基地局のそれぞれとの無線通信が可能な移動端末とを備える通信システムが行う通信方法であって、
前記移動端末が、
提供中のサービスを示すサービス情報を前記第一の基地局に送信する情報送信ステップと、
前記第一の基地局が、
前記情報送信ステップにより送信された前記サービス情報により音声サービスが提供中である通信状況であるか否かを判定する状況判定ステップと、
前記状況判定ステップにより前記通信状況にあると判定された場合に、前記移動端末を前記第二の基地局にハンドオーバさせるための処理を行う基地局制御ステップと、
を有することを特徴とする通信方法。
【発明の詳細な説明】
【技術分野】
【０００１】
本発明は、複数の基地局との無線通信が可能な移動端末と、複数の基地局と移動端末とを備える通信システムと、移動端末が行う通信方法と、通信システムが行う通信方法とに関する。
【背景技術】
【０００２】
従来、ハンドオーバ先として最適な基地局を選択することが可能な移動局が提案されている。例えば特許文献１には、基地局との間の上りリンクおよび下りリンクの通信品質を示す測定情報を取得する移動局であって、この測定情報に基づいて、上りリンクおよび下りリンクそれぞれについて最適な基地局を判定し、利用する情報サービスの種類に応じて、上りリンクおよび下りリンクのうち優先するリンクを判断し、優先するリンクについて最適と判定された基地局をハンドオーバ先として選択する移動局が開示されている。
【先行技術文献】
【特許文献】
【０００３】
【特許文献１】再公表特許ＷＯ２００９／０４４４５８号公報
【発明の概要】
【発明が解決しようとする課題】
【０００４】
上述のようにハンドオーバを行う移動局においてユーザに対して提供中のサービスがデータサービス（例えば、ＬＴＥ：Long Term Evolutionによるデータ通信サービス）である場合、通信の瞬断が生じても、このサービスへの影響は比較的小さい。しかしながら、ハンドオーバの際にユーザに対して提供中のサービスが音声サービス（例えば、ＬＴＥを用いた音声通話技術であるＶｏｌｔｅ：Voice-Over-LTEによる音声通話サービス）である場合、通信の瞬断が生じると、パケットのロスにより音声が途切れてしまうため、このサービスへの影響は比較的大きい。
【０００５】
より詳しくは、図１に示されるように、（例えば１０ＭＨｚ幅の）ＬＴＥ広帯域エリアＡｂに在圏している従来の移動局Ｍが、（例えば５ＭＨｚ幅の）ＬＴＥ狭帯域エリアＡｎへ移動中であるとする。ここで、ＬＴＥ狭帯域エリアＡｎにおける無線品質Ｑｎは、ＬＴＥ狭帯域エリアＡｎの内側に向かうに従って向上するが、ＬＴＥ広帯域エリアＡｂにおける無線品質Ｑｂは、ＬＴＥ広帯域エリアＡｂの外側（エリア端）に向かうに従って低下する。ＬＴＥ広帯域エリアＡｂにおいて比較的高い通信速度が得られていた移動局Ｍでは、ＬＴＥ広帯域エリアＡｂに可能な限り長く在圏して留まるよう設定されており、通常、タイミングＴ１でハンドオーバ処理Ｈが行われる。
【０００６】
しかしながら、ハンドオーバ処理Ｈが行われるタイミングＴ１より比較的短時間だけ前のタイミングＴ２での無線品質Ｑｂも、タイミングＴ１での無線品質Ｑｂと同程度に低くなっているため、通信の瞬断が生じやすい。ここで、提供中のサービスが音声サービスの場合に通信の瞬断が生じると、音声が途切れてしまうため、このサービスへの影響は比較的大きくなってしまう。この結果、通信サービスの品質が劣化してしまうおそれがある。
【０００７】
そこで本発明は、上述の問題点を解消する為になされたものであり、通信サービスの品質劣化をより確実に防止することが可能な移動端末、通信システム、及び通信方法を提供することを目的とする。
【課題を解決するための手段】
【０００８】
本発明の一形態に係る移動端末は、複数の基地局との無線通信が可能な移動端末であって、第一の基地局の配下のセルに在圏中に音声サービスが提供中である通信状況であるか否かを判定するサービス判定手段と、サービス判定手段により通信状況にあると判定された場合に、第二の基地局にハンドオーバするための処理を行う端末制御手段と、を備えることを特徴とする。
【０００９】
本発明の一形態に係る移動端末によれば、第一の基地局の配下のセルに在圏中に音声サービスが提供中である通信状況であるか否かが判定され、この通信状況にあると判定された場合に、第二の基地局にハンドオーバするための処理が行われる。これにより、図１におけるハンドオーバ処理Ｈが行われるタイミングＴ１より前に、音声サービスが提供中の上述の通信状況であると判定された場合に、第二の基地局にハンドオーバするための処理が行われる。この結果、音声サービス提供中において影響が大きい通信の瞬断が起こりうる無線品質になる前に、ハンドオーバすることが可能になり、通信サービスの品質劣化をより確実に防止することが可能になる。
【００１０】
別の形態に係る移動端末では、第一の基地局との無線通信の通信品質を示す第一品質情報を取得する取得手段と、取得手段により取得された第一品質情報が示す通信品質が所定品質を満たすか否かを判定する品質判定手段と、を更に備え、サービス判定手段は、品質判定手段により所定品質は満たされると判定された場合に、通信状況であるか否かを判定してもよい。
【００１１】
この形態では、取得された第一品質情報が示す通信品質が所定品質を満たすか否かを判定し、所定品質は満たされると判定された場合に、上述の通信状況であるか否かを判定することが可能になる。
【００１２】
別の形態に係る移動端末では、端末制御手段によりハンドオーバするための処理が行われた場合に、第二の基地局との無線通信の通信品質を示す第二品質情報を取得し、当該第二品質情報が示す通信品質が所定条件を満たすか否かを判定する条件判定手段と、条件判定手段により所定条件は満たされると判定された場合に、条件判定手段により取得された第二品質情報を第一の基地局に送信する品質送信手段と、を更に備えてもよい。
【００１３】
この形態では、ハンドオーバするための処理が行われた場合に、取得された第二品質情報が示す通信品質が所定条件を満たすか否かを判定し、所定条件は満たされると判定された場合に、取得された第二品質情報を第一の基地局に送信することが可能になる。
【００１４】
本発明の一形態に係る通信システムは、第一及び第二の基地局と、当該第一及び第二の基地局のそれぞれとの無線通信が可能な移動端末とを備える通信システムであって、移動端末は、提供中のサービスを示すサービス情報を第一の基地局に送信する情報送信手段を有し、第一の基地局は、情報送信手段により送信されたサービス情報により音声サービスが提供中である通信状況であるか否かを判定する状況判定手段と、状況判定手段により通信状況にあると判定された場合に、移動端末を第二の基地局にハンドオーバさせるための処理を行う基地局制御手段と、を有することを特徴とする。
【００１５】
本発明の一形態に係る通信システムによれば、移動端末で音声サービスが提供中である通信状況であるか否かが判定され、この通信状況にあると判定された場合に、第二の基地局にハンドオーバするための処理が行われる。これにより、図１におけるハンドオーバ処理Ｈが行われるタイミングＴ１より前に、音声サービスが提供中の上述の通信状況であると判定された場合に、第二の基地局にハンドオーバするための処理が行われる。この結果、音声サービス提供中において影響が大きい通信の瞬断が起こりうる無線品質になる前に、ハンドオーバすることが可能になり、通信サービスの品質劣化をより確実に防止することが可能になる。
【００１６】
本発明の一形態に係る通信方法は、複数の基地局との無線通信が可能な移動端末が行う通信方法であって、第一の基地局の配下のセルに在圏中に音声サービスが提供中である通信状況であるか否かを移動端末が判定するサービス判定ステップと、サービス判定ステップにより通信状況にあると判定された場合に、第二の基地局にハンドオーバするための処理を移動端末が行う端末制御ステップと、を有することを特徴とする。
【００１７】
本発明の一形態に係る通信方法によれば、第一の基地局の配下のセルに在圏中に音声サービスが提供中である通信状況であるか否かが判定され、この通信状況にあると判定された場合に、第二の基地局にハンドオーバするための処理が行われる。これにより、図１におけるハンドオーバ処理Ｈが行われるタイミングＴ１より前に、音声サービスが提供中の上述の通信状況であると判定された場合に、第二の基地局にハンドオーバするための処理が行われる。この結果、音声サービス提供中において影響が大きい通信の瞬断が起こりうる無線品質になる前に、ハンドオーバすることが可能になり、通信サービスの品質劣化をより確実に防止することが可能になる。
【００１８】
本発明の一形態に係る通信方法は、第一及び第二の基地局と、当該第一及び第二の基地局のそれぞれとの無線通信が可能な移動端末とを備える通信システムが行う通信方法であって、移動端末が、提供中のサービスを示すサービス情報を第一の基地局に送信する情報送信ステップと、第一の基地局が、情報送信ステップにより送信されたサービス情報により音声サービスが提供中である通信状況であるか否かを判定する状況判定ステップと、状況判定ステップにより通信状況にあると判定された場合に、移動端末を第二の基地局にハンドオーバさせるための処理を行う基地局制御ステップと、を有することを特徴とする。
【００１９】
本発明の一形態に係る通信方法によれば、音声サービスが提供中である通信状況であるか否かが判定され、この通信状況にあると判定された場合に、第二の基地局にハンドオーバするための処理が行われる。これにより、図１におけるハンドオーバ処理Ｈが行われるタイミングＴ１より前に、音声サービスが提供中の上述の通信状況であると判定された場合に、第二の基地局にハンドオーバするための処理が行われる。この結果、音声サービス提供中において影響が大きい通信の瞬断が起こりうる無線品質になる前に、ハンドオーバすることが可能になり、通信サービスの品質劣化をより確実に防止することが可能になる。
【発明の効果】
【００２０】
本発明によれば、通信サービスの品質劣化をより確実に防止することが可能な移動端末、通信システム、及び通信方法を提供することができる。
【図面の簡単な説明】
【００２１】
【図１】従来の移動局がハンドオーバ処理を行う際のタイミング及びそのタイミングにおける無線品質を説明するタイミング説明図である。
【図２】移動機の主な機能構成の概略を説明するための機能ブロック図である。
【図３】移動機の主な物理構成の概略を説明するための物理構成図である。
【図４】移動機におけるハンドオーバ処理の流れを説明するためのフローチャートである。
【図５】移動機及び基地局による作用効果を説明するための、移動機がハンドオーバ処理を行う際のタイミング及びそのタイミングにおける無線品質を説明するタイミング説明図である。
【図６】移動機及び基地局の主な機能構成の概略を説明するための機能ブロック図である。
【図７】基地局の主な物理構成の概略を説明するための物理構成図である。
【図８】基地局におけるハンドオーバ処理の流れを説明するためのフローチャートである。
【発明を実施するための形態】
【００２２】
以下、添付図面を参照しながら本発明の好適な実施形態を説明する。なお、図面の説明において同一要素には同一符号を付し、重複する説明を省略する。
【００２３】
（１）第一実施形態
（１−１）第一実施形態に係る移動端末の構成
まず、本発明に係る第一実施形態に係る移動機（移動端末）の構成について、図２及び図３を用いて説明する。図２は、この移動機１の主な機能構成の概略を説明するための機能ブロック図であり、図３は、移動機１（及び後述の移動機２）の主な物理構成の概略を説明するための物理構成図である。移動機１は、複数の基地局との無線通信を行うことにより、在圏するセルを変更してハンドオーバすることが可能な、携帯電話端末やスマートフォンといった端末である。移動機１は、ユーザに対して、データサービス（例えば、ＬＴＥ：Long Term Evolutionによるデータ通信サービス）及び音声サービス（例えば、ＬＴＥを用いた音声通話技術であるＶｏｌｔｅ：Voice-Over-LTEによる音声通話サービス）を提供することができる。
【００２４】
移動機１は、図３に示されるように、主な物理的な構成要素としてＣＰＵ１０１（Central Processing Unit）、ＲＡＭ１０２（Random Access Memory）、ＲＯＭ１０３（Read Only Memory）、操作部１０４、無線通信部１０５、ディスプレイ１０６、及びアンテナ１０７等のハードウェアにより構成されている携帯可能なコンピュータ端末である。これらの構成要素が動作することにより、移動機１が有する各機能が発揮される。移動機１は、図２に示されるように、主な機能的な構成要素として、アンテナ制御部１１、端末受信部１２（取得手段）、無線品質推定部１３（品質判定手段）、サービス種別判定部１４（サービス判定手段）、報告条件判定部１５（端末制御手段、条件判定手段）、及び端末送信部１６（品質送信手段）を備えて構成されている。
【００２５】
アンテナ制御部１１は、アンテナ１０７（図１参照）により送受信される信号の送受信処理及び制御を行う制御機能部分である。アンテナ制御部１１は、アンテナ１０７に接続された状態で上述の管理及び制御を行う。
【００２６】
端末受信部１２は、アンテナ制御部１１により送受信処理された信号の解析処理を行う演算処理機能部分である。例えば、端末受信部１２は、アンテナ制御部１１により受信処理される信号を演算処理することにより、通信品質を示す第一品質情報を取得するとともに、移動制御パラメータの通知を取得する。
【００２７】
ここで、第一品質情報は、移動機１が現時点で在圏しているセルを配下とする第一の基地局との無線通信の通信品質（例えば、移動機１において実行中の通信の下り無線信号の電界強度）を示す情報である。また、移動制御パラメータは、第一の基地局に隣接する第二の基地局に移動機１がハンドオーバするか否かを判定する際に用いられる基準となるパラメータ（ハンドオーバ閾値やＴｉｍｅ  Ｔｏ  Ｔｒｉｇｇｅｒ等のパラメータ）であり、通信品質のオフセット値を有する初期値となるものである。移動制御パラメータには、第一パラメータ及び第二パラメータが含まれている。第一パラメータは、移動機１が在圏するセルにおける電界強度（移動機１における通信品質）との比較対象となる基準値パラメータである。第二パラメータは、移動機１が在圏するセル（自セル）における電界強度（自セル強度）と隣接セル（自セルに隣接するセル）における電界強度（隣接セル強度）との差分の比較対象となる基準値パラメータである。
【００２８】
また、端末受信部１２は、アンテナ制御部１１により受信処理される信号を解析処理することにより、ハンドオーバ完了までの処理の実行を指示する指示信号を取得することも可能である。
【００２９】
無線品質推定部１３は、端末受信部１２により取得された第一品質情報が示す通信品質が、パラメータ条件（所定品質）を満たすか否かを判定する演算処理機能部分である。例えば、移動機１において実行中の通信の下り無線信号の電界強度（第一品質情報が示す通信品質）が、所定強度（第一の閾値）以下（又は未満）である状態が一定時間以上継続した場合に、パラメータ条件が満たされたと判定される。その他に、例えば、移動機１において実行中の通信の下り無線信号の電界強度が、上述の第一パラメータによって示される電界強度の基準値以下（又は未満）である状態が一定時間以上継続するような品質の場合に、パラメータ条件が満たされたと判定される構成としてもよい。
【００３０】
サービス種別判定部１４は、上述のセルに在圏中に上述の音声サービスが提供中である通信状況であるか否かを判定する演算処理機能部分である。例えば、音声サービスが提供されている状況では、ユーザは移動機１を用いた通話が可能になる。
【００３１】
報告条件判定部１５は、サービス種別判定部１４により上述の通信状況にあると判定された場合に、第一の基地局に隣接する第二の基地局にハンドオーバするための準備処理を行う制御機能部分である。第二の基地局にハンドオーバするための準備処理とは、例えば、移動制御パラメータに含まれる上述の第一パラメータ及び第二パラメータの両方を、初期値から変更値へ変更する処理である。第一パラメータ及び第二パラメータのそれぞれの初期値は、例えばａ３−オフセット値及びヒステリシス値が各１．５ｄＢであり、変更値は、例えばａ３−オフセット値及びヒステリシス値が各０ｄＢである。第一パラメータの変更後に、無線品質推定部１３は、端末受信部１２により取得された第一品質情報が示す通信品質が、パラメータ条件（所定品質）を満たすか否かを判定する。
【００３２】
また、報告条件判定部１５は、第二の基地局にハンドオーバするための準備処理を行った後で、無線品質推定部１３により上述のパラメータ条件は満たされると判定された場合に、第二の基地局との無線通信の通信品質を示す第二品質情報を取得し、この第二品質情報が示す通信品質が後述の報告条件（所定条件）を満たすか否かを判定する。例えば、ハンドオーバ準備処理（移動制御パラメータの初期値からの変更）後の移動機１において実行中の通信の下り無線信号の電界強度（第二品質情報が示す通信品質である自セル強度）が、隣接セル強度よりも所定強度（第二の閾値）以下（又は未満）である状態が一定時間以上継続するような品質の場合に、報告条件が満たされたと判定される。この所定強度は、上述の第二パラメータによって示される例えば数ｄＢといった差分値とする構成としてもよい。
【００３３】
端末送信部１６は、報告条件判定部１５により報告条件が満たされると判定された場合に、報告条件判定部１５により取得された第二品質情報を第一の基地局に送信する。
【００３４】
（１−２）移動機におけるハンドオーバ処理の流れ
引き続き、移動機１におけるハンドオーバ処理の流れ（通信方法）について、図４を用いて説明する。図４は、移動機１におけるハンドオーバ処理の流れを説明するためのフローチャートである。
【００３５】
なお、図４のフローチャートに示される処理は、移動機１の電源がオンされてからオフされるまでの間、所定のタイミングで繰り返し実行される。
【００３６】
まず、サービス種別判定部１４が、セルに在圏中に上述の音声サービスが提供中（即ち、提供中のサービス種別が音声サービス）である通信状況であるか否かを判定する（ステップＳ０１、サービス判定ステップ）。上述の音声サービスが提供中（即ち、提供中のサービス種別が音声サービス）であると判定された場合は、後述のステップＳ０２に移行する。一方、上述の音声サービスが提供中でないと判定された場合は、後述のステップＳ０３に移行する。
【００３７】
ステップＳ０２では、報告条件判定部１５が、移動制御パラメータを初期値から変更する（端末制御ステップ）。これにより、移動機１において移動制御パラメータの読み替えが行われる。そして、後述のステップＳ０３に移行する。
【００３８】
ステップＳ０３では、無線品質推定部１３が、第一品質情報が示す通信品質がパラメータ条件（所定品質）を満たすか否かを判定し、パラメータ条件は満たされると判定された場合に、報告条件判定部１５が、第二品質情報を取得し、この第二品質情報が示す通信品質が報告条件を満たすか否かを判定する。第二品質情報が示す通信品質が報告条件を満たすと判定された場合は、後述のステップＳ０４に移行する。一方、第二品質情報が示す通信品質が報告条件を満たさないと判定された場合は、一連の処理が終了する。
【００３９】
ステップＳ０４では、端末送信部１６が、報告条件判定部１５により取得された第二品質情報を第一の基地局に送信することにより、下り無線品質を報告する。そして、後述のステップＳ０５に移行する。
【００４０】
ステップＳ０５では、端末受信部１２が、アンテナ制御部１１により受信処理される信号を解析処理することにより、ハンドオーバ完了までの処理の実行を指示する指示信号を取得する。そして、一連の処理が終了する。
【００４１】
（１−３）移動機による作用効果
移動機１によれば、図５に示されるように、（例えば１０ＭＨｚ幅の）ＬＴＥ広帯域エリアＡｂ（第一の基地局の配下のセルのエリア）に在圏中に音声サービスが提供中である通信状況であるか否かが判定され、この通信状況にあると判定された場合に、（例えば５ＭＨｚ幅の）ＬＴＥ狭帯域エリアＡｎ（第二の基地局の配下のセルのエリア）にハンドオーバするための処理Ｈ１（図４のステップＳ０４における移動制御パラメータの読み替え）が行われる。
【００４２】
これにより、従来の移動局Ｍによるハンドオーバ処理Ｈのタイミング（図５におけるタイミングＴ１）より前のタイミングＴ３に、音声サービスが提供中の上述の通信状況であると判定された場合に、ＬＴＥ狭帯域エリアＡｎにハンドオーバするための処理Ｈ１が行われる。
【００４３】
この結果、音声サービス提供中において影響が大きい通信の瞬断が起こりうる無線品質（図１のタイミングＴ２での無線品質Ｑｂ）になる前（図５のタイミングＴ３）に、ハンドオーバすることが可能になり、通信の瞬断によるパケットロスを原因とする通信サービス（音声サービス）の品質劣化を、より確実に防止することが可能になる。
【００４４】
また、移動機１によれば、取得された第一品質情報が示す通信品質がパラメータ条件を満たすか否かを判定し（図４のステップＳ０２）、パラメータ条件は満たされると判定された場合に、上述の通信状況であるか否かを判定する（図４のステップＳ０３）ことが可能になる。
【００４５】
（２）第二実施形態
（２−１）第二実施形態に係る移動端末を含む通信システムの構成
引き続き、第二実施形態に係る移動機（移動端末）を含む通信システムの構成について、図３、図６、及び図７を用いて説明する。図６は、この移動機２及び第一の基地局３（及び第二の基地局４）の主な機能構成の概略を説明するための機能ブロック図であり、図７は、第一の基地局３の主な物理構成の概略を説明するための物理構成図である。
【００４６】
ここで、移動機２は、複数の基地局との無線通信を行うことにより、在圏するセルを変更してハンドオーバすることが可能な、携帯電話端末やスマートフォンといった端末である。また、通信システム１０は、互いに隣接するセルのそれぞれを配下とする第一の基地局３及び第二の基地局４と、第一の基地局３及び第二の基地局４のそれぞれとの無線通信が可能な移動機２とを備えるシステムである。なお、移動機２は、ユーザに対して、データサービス（例えば、ＬＴＥ：Long Term Evolutionによるデータ通信サービス）及び音声サービス（例えば、ＬＴＥを用いた音声通話技術であるＶｏｌｔｅ：Voice-Over-LTEによる音声通話サービス）を提供することができる。
【００４７】
移動機２は、図３に示されるように、主な物理的な構成要素としてＣＰＵ１０１（Central Processing Unit）、ＲＡＭ１０２（Random Access Memory）、ＲＯＭ１０３（Read Only Memory）、操作部１０４、無線通信部１０５、ディスプレイ１０６、及びアンテナ１０７等のハードウェアにより構成されている携帯可能なコンピュータ端末である。これらの構成要素が動作することにより、移動機２が有する各機能が発揮される。
【００４８】
移動機２は、図６に示されるように、主な機能的な構成要素として、アンテナ制御部２１、端末受信部２２（取得手段）、無線品質推定部２３（品質判定手段）、報告条件判定部２４（条件判定手段）、サービス種別判定部２５（サービス判定手段）、及び端末送信部２６（情報送信手段）を備えて構成されている。
【００４９】
アンテナ制御部２１は、アンテナ１０７（図１参照）により送受信される信号の送受信処理及び制御を行う制御機能部分である。アンテナ制御部２１は、アンテナ１０７に接続された状態で上述の管理及び制御を行う。
【００５０】
端末受信部２２は、アンテナ制御部２１により送受信処理される信号の解析処理を行う演算処理機能部分である。例えば、端末受信部２２は、アンテナ制御部２１により受信処理される信号を演算処理することにより、通信品質を示す第一品質情報を取得するとともに、移動制御パラメータの通知を取得する。
【００５１】
ここで、第一品質情報は、移動機２が現時点で在圏しているセルを配下とする第一の基地局３との無線通信の通信品質（例えば、移動機２において実行中の通信の下り無線信号の電界強度）を示す情報である。また、移動制御パラメータは、移動機２が第二の基地局４にハンドオーバするか否かを判定する際に用いられる基準となるパラメータ（ハンドオーバ閾値やＴｉｍｅ  Ｔｏ  Ｔｒｉｇｇｅｒ等のパラメータ）であり、通信品質のオフセット値を有する初期値となるものである。
【００５２】
また、端末受信部２２は、アンテナ制御部２１により受信処理される信号を解析処理することにより、ハンドオーバ完了までの処理の実行を指示する指示信号を取得することも可能である。
【００５３】
無線品質推定部２３は、端末受信部２２により取得された第一品質情報が示す通信品質が、パラメータ条件（所定品質）を満たすか否かを判定する演算処理機能部分である。例えば、第一品質情報が示す通信品質が、移動機２において実行中の通信の下り無線信号の電界強度が所定強度以下（又は未満）である状態が一定時間以上継続した場合に、パラメータ条件が満たされたと判定される。
【００５４】
報告条件判定部２４は、無線品質推定部２３により第一品質情報が示す通信品質がパラメータ条件を満たすと判定された場合に、第二の基地局との無線通信の通信品質を示す第二品質情報を取得し、この第二品質情報が示す通信品質が報告条件（所定条件）を満たすか否かを判定する演算処理機能部分である。例えば、第二品質情報が示す通信品質が、ハンドオーバ準備処理（移動制御パラメータの初期値からの変更）後の移動機２において実行中の通信の下り無線信号の電界強度が所定強度以下（又は未満）である状態が一定時間以上継続するような品質の場合に、報告条件が満たされたと判定される。
【００５５】
サービス種別判定部２５は、上述のセルに在圏中に上述の音声サービスが提供中である通信状況であるか否かを判定する演算処理機能部分である。例えば、音声サービスが提供されている状況では、ユーザは移動機２を用いた通話が可能になる。
【００５６】
端末送信部２６は、サービス種別判定部２５による判定結果である提供中のサービスの種別に関するサービス情報を第一の基地局３に送信する通信制御部分である。また、端末送信部２６は、変更後の移動制御パラメータの通知を第一の基地局３から受信して、第二の基地局４にハンドオーバするための処理を行うことが可能である。第二の基地局４にハンドオーバするための処理とは、例えば、移動制御パラメータを、初期値から、通知された変更後のパラメータに変更する処理である。初期値は、例えばａ３−オフセット値及びヒステリシス値が各１．５ｄＢであり、変更値は、例えばａ３−オフセット値及びヒステリシス値が各０ｄＢである。
【００５７】
更に、端末送信部２６は、報告条件判定部２４により報告条件が満たされると判定された場合に、報告条件判定部２４により取得された第二品質情報を第一の基地局３に送信する。
【００５８】
第一の基地局３及び第二の基地局４のそれぞれは、図７に示されるように、主な物理的な構成要素としてＣＰＵ３０１（Central Processing Unit）、ＲＡＭ３０２（Random Access Memory）、ＲＯＭ３０３（Read Only Memory）、通信モジュール３０４、及び補助記憶装置３０５等のハードウェアにより構成されている携帯可能なコンピュータ端末である。これらの構成要素が動作することにより、第一の基地局３及び第二の基地局４のそれぞれが有する各機能が発揮される。
【００５９】
第一の基地局３及び第二の基地局４のそれぞれは、図６に示されるように、主な機能的な構成要素として、アンテナ制御部３１、基地局受信部３２（取得手段）、サービス種別判定部３３（状況判定手段）、パラメータ通知部３４（基地局制御手段）、及び基地局送信部３５（基地局制御手段）を備えて構成されている。
【００６０】
アンテナ制御部３１は、基地局アンテナにより送受信される信号の送受信処理及び制御を行う制御機能部分である。
【００６１】
基地局受信部３２は、アンテナ制御部３１により送受信処理された信号の解析処理を行う演算処理機能部分である。例えば、基地局受信部３２は、アンテナ制御部３１により受信処理される信号を解析処理することにより、移動機２で提供中のサービスの種別に関するサービス情報を移動機２から取得する。また、基地局受信部３２は、報告条件判定部２４により取得された第二品質情報を移動機２から取得することも可能である。
【００６２】
サービス種別判定部３３は、端末送信部２６により送信されたサービス情報を用いて、移動機２において音声サービスが提供中である通信状況であるか否かを判定する演算処理機能部分である。例えば、音声サービスが提供されている状況では、ユーザは移動機２を用いた通話が可能になる。
【００６３】
パラメータ通知部３４は、サービス種別判定部３３により上述の通信状況にあると判定された場合に、移動機２を第二の基地局４にハンドオーバさせるための処理を行う制御機能部分である。第二の基地局４にハンドオーバさせるための処理とは、例えば、移動制御パラメータを初期値から変更したものを移動機２に送信する処理である。移動制御パラメータは、移動機２が第二の基地局４にハンドオーバするか否かを判定する際に用いられる基準となるパラメータであり、通信品質のオフセット値を有する初期値となるものである。
【００６４】
基地局送信部３５は、移動制御パラメータを初期値から変更したものを移動機２に送信する通信制御部分である。また、基地局送信部３５は、変更された移動制御パラメータが移動機２に送信された後、ハンドオーバ完了までの処理の実行を指示する指示信号を移動機２に送信することが可能である。
【００６５】
（２−２）第一の基地局におけるハンドオーバ処理の流れ
引き続き、通信システム１０が備える第一の基地局３におけるハンドオーバ処理の流れ（通信方法）について、図８を用いて説明する。図８は、第一の基地局３におけるハンドオーバ処理の流れを説明するためのフローチャートである。図８のフローチャートに示される処理は、第一の基地局３が起動されてからシャットダウンされるまでの間、所定のタイミングで繰り返し実行される。
【００６６】
まず、移動機２の端末送信部２６が、移動機２で提供中のサービスの種別に関するサービス情報の報告を送信して、基地局受信部３２が、移動機２で提供中のサービスの種別に関するサービス情報の報告を移動機２から受信する（ステップＳ１１、情報送信ステップ）。
【００６７】
次に、サービス種別判定部３３が、端末送信部２６により送信されたサービス情報を用いて、移動機２において音声サービスが提供中（即ち、提供中のサービス種別が音声サービス）である通信状況であるか否かを判定する（ステップＳ１２、状況判定ステップ）。上述の音声サービスが提供中（即ち、提供中のサービス種別が音声サービス）であると判定された場合は、後述のステップＳ１３に移行する。一方、上述の音声サービスが提供中でないと判定された場合は、後述のステップＳ１５に移行する。
【００６８】
ステップＳ１３では、パラメータ通知部３４が、移動制御パラメータを初期値から変更する（基地局制御ステップ）。そして、後述のステップＳ１４に移行する。
【００６９】
ステップＳ１４では、基地局送信部３５が、移動制御パラメータを初期値から変更したものを移動機２に送信して通知する。これにより、移動機２において移動制御パラメータの読み替えが行われる。そして、後述のステップＳ１５に移行する。
【００７０】
ステップＳ１５では、移動機２の無線品質推定部２３が、（端末受信部２２により取得された）第一品質情報が示す通信品質がパラメータ条件（所定品質）を満たすか否かを判定し、パラメータ条件は満たされると判定された場合に、報告条件判定部２４が、第二品質情報を取得し、この第二品質情報が示す通信品質が報告条件を満たす場合に、端末送信部２６が、この第二品質情報を第一の基地局３に送信して、基地局受信部３２が、通信品質を報告する第二品質情報を移動機２から受信する。そして、基地局送信部３５が、第二の基地局４へのハンドオーバ完了までの処理の実行を指示する指示信号を、移動機２に送信する（ステップＳ１６）。そして、一連の処理が終了する。
【００７１】
（２−３）基地局による作用効果の概略
第一の基地局３によれば、図５に示されるように、（例えば１０ＭＨｚ幅の）ＬＴＥ広帯域エリアＡｂ（第一の基地局の配下のセルのエリア）に移動機２が在圏中に音声サービスが提供中である通信状況であるか否かが判定され、この通信状況にあると判定された場合に、（例えば５ＭＨｚ幅の）ＬＴＥ狭帯域エリアＡｎ（第二の基地局の配下のセルのエリア）に移動機２をハンドオーバさせるための処理Ｈ１（図８のステップＳ１４における移動制御パラメータの読み替え）が行われる。
【００７２】
これにより、従来の移動局Ｍによるハンドオーバ処理Ｈのタイミング（図５におけるタイミングＴ１）より前のタイミングＴ３に、移動機２で音声サービスが提供中の上述の通信状況であると判定された場合に、ＬＴＥ狭帯域エリアＡｎに移動機２をハンドオーバするための処理Ｈ１が行われる。
【００７３】
この結果、音声サービス提供中において影響が大きい通信の瞬断が起こりうる無線品質（図１のタイミングＴ２での無線品質Ｑｂ）になる前（図５のタイミングＴ３）に、移動機２をハンドオーバさせることが可能になり、通信の瞬断によるパケットロスを原因とする通信サービス（音声サービス）の品質劣化を、より確実に防止することが可能になる。
【００７４】
（３）変形例
上述の第一実施形態では、無線通信の通信品質として、移動機１において実行中の通信の下り無線信号の電界強度を採用する構成について説明したが、無線通信の通信品質としてはこれに限定されず、例えば移動機１において実行中の通信の下り無線信号の電界強度の不安定度合いを、無線通信の通信品質として採用する構成としてもよい。
【産業上の利用可能性】
【００７５】
本発明によれば、通信サービスの品質劣化をより確実に防止することが可能な移動端末、通信システム、及び通信方法を提供することができる。
【符号の説明】
【００７６】
１，２…移動機、３，４…基地局、１０…通信システム、１１，２１，３１…アンテナ制御部、１２，２２…端末受信部、１３，２３…無線品質推定部、１４，２５，３３…サービス種別判定部、１５，２４…報告条件判定部、１６，２６…端末送信部、３２…基地局受信部、３４…パラメータ通知部、３５…基地局送信部、Ａｂ…広帯域エリア、Ａｎ…狭帯域エリア、Ｈ，Ｈ１…ハンドオーバ処理、Ｍ…移動局、Ｑｂ，Ｑｎ…無線品質、Ｔ１〜Ｔ３…タイミング。
【図１】
2013236336.tif 000003
【図２】
2013236336.tif 000004
【図３】
2013236336.tif 000005
【図４】
2013236336.tif 000006
【図５】
2013236336.tif 000007
【図６】
2013236336.tif 000008
【図７】
2013236336.tif 000009
【図８】
2013236336.tif 000010